(57)【要約】【課題】従来のようにスピーカ装置ないしこれらの付属装置等を増設する必要がなく、また、放送システムの増設や移動を行わなくても、柔軟に放送場所の変化や増加に対応できる放送エリア自動選択放送システムを提供すること。【解決手段】この発明の放送エリア自動選択放送システムは、放送エリア内に配設された複数の人物検出センサと、指向性を有し、音声情報を出力する音声出力手段と、音声出力装置の方向を切り替える駆動手段と、音声出力手段から出力するための音声情報を記憶保持する機能、人物センサの検出信号に基づいて人物の位置を特定する機能、その人物の位置に音声出力手段を向けるために駆動手段を駆動制御する機能、及び、音声出力手段に音声情報を出力させる機能を有する制御手段とを備える。【選択図】図１
2007028398.tif 000002
【特許請求の範囲】
【請求項１】
放送エリア内に配設された複数の人物検出センサと、
指向性を有し、音声情報を出力する音声出力手段と、
前記音声出力装置の出力方向を切り替える駆動手段と、
前記音声出力手段から出力するための音声情報を記憶保持する機能、前記人物センサの検出信号に基づいて人物の位置を特定する機能、その人物の位置に前記音声出力手段の出力方向を向けるために前記駆動手段を駆動制御する機能、及び、前記音声出力手段に前記音声情報を出力させる機能を有する制御手段と
を備える放送エリア自動選択放送システム。
【請求項２】
前記制御手段に時刻情報を提供する時刻情報提供手段をさらに備えると共に、前記制御手段は、放送開始時刻及び放送終了時刻と前記音声情報とを関連づけて記憶保持し、前記時刻情報に基づき、前記音声出力手段に前記音声情報を出力開始ないし出力終了させることを特徴とする請求項１記載の放送エリア自動選択放送システム。
【請求項３】
前記音声出力手段から放送する音声情報の音量を調整する増幅手段を更に備えると共に、前記制御手段は、音量情報と前記音声情報を関連づけて有し、前記音量情報に基づき前記増幅手段に前記音声情報を増幅させ、この増幅させた前記音声情報を前記音声出力手段に出力させることを特徴とする請求項１または２記載の放送エリア自動選択放送システム。
【請求項４】
放送エリア内の騒音レベルを検出する騒音レベル検出手段をさらに備え、前記制御手段は、前記騒音レベル検出手段で検出された騒音レベルに応じて、前記増幅手段における音声情報の増幅量を決定することを特徴とする請求項３記載の放送エリア自動選択放送システム。
【発明の詳細な説明】
【技術分野】
【０００１】
この発明は、主として案内放送や注意放送を伝達したい人物を限定し、また、場所を限定してアナウンスする放送エリア自動選択放送システムに関する。
【背景技術】
【０００２】
従来の放送システムは、放送が必要とする場所毎にセンサ及びスピーカ装置ないしこれらの付属装置を設置していた（例えば、特許文献１参照）。
【０００３】
【特許文献１】特開２００２−１７６６８６号公報
【発明の開示】
【発明が解決しようとする課題】
【０００４】
従来の放送システムでは、案内放送や注意放送を伝達したい人物の場所の変化や増加によりスピーカ装置ないしこれらの付属装置等の放送システムの増設や移動が必要であった。
【０００５】
この発明は、上述のような課題を解決するためになされたもので、従来のようにスピーカ装置ないしこれらの付属装置等を増設する必要がなく、また、放送システムの増設や移動を行わなくても、柔軟に放送場所の変化や増加に対応できる放送エリア自動選択放送システムを提供することを目的とする。
【課題を解決するための手段】
【０００６】
この発明の放送エリア自動選択放送システムは、放送エリア内に配設された複数の人物検出センサと、指向性を有し、音声情報を出力する音声出力手段と、音声出力装置の方向を切り替える駆動手段と、音声出力手段から出力するための音声情報を記憶保持する機能、人物センサの検出信号に基づいて人物の位置を特定する機能、その人物の位置に音声出力手段を向けるために駆動手段を駆動制御する機能、及び、音声出力手段に音声情報を出力させる機能を有する制御手段とを備える。
【発明の効果】
【０００７】
この発明の放送エリア自動選択放送システムは、放送エリア内に配設された複数の人物検出センサと、指向性を有し、音声情報を出力する音声出力手段と、音声出力装置の方向を切り替える駆動手段と、音声出力手段から出力するための音声情報を記憶保持する機能、人物センサの検出信号に基づいて人物の位置を特定する機能、その人物の位置に音声出力手段を向けるために駆動手段を駆動制御する機能、及び、音声出力手段に音声情報を出力させる機能を有する制御手段とを備えるので、スピーカ装置や増幅装置等の放送システムの追加や移動を行わなくても、伝達したい情報を放送する場所の変化や増加に対応することができる。
【発明を実施するための最良の形態】
【０００８】
実施の形態１．
この発明の実施の形態１に係る放送エリア自動選択放送システムについて図面を参照しながら説明する。
図１は、この発明の実施の形態１に係る放送エリア自動選択放送システムの構成を示す図である。なお、各図中、同一符号は同一又は相当部分を示す。
【０００９】
図１に示すように、この発明の実施の形態１に係る放送エリア自動選択放送システムは、人物検出センサである対象人物検出センサ１と、音声出力手段から出力するための音声情報を記憶保持する機能、人物センサの検出信号に基づいて人物の位置を特定する機能、その人物の位置に音声出力手段の出力方向を向けるために駆動手段を駆動制御する機能、及び、音声出力手段に音声情報を出力させる機能を有する制御手段である制御装置２と、音声出力手段から放送する音声情報の音量を調整する増幅手段である増幅装置３と、音声出力装置の出力方向を切り替える駆動手段である駆動装置４と、指向性を有し、音声情報を出力する音声出力手段であるスピーカ装置５とを備える。
【００１０】
対象人物検出センサ１は、本システムの設置場所内の複数箇所に設置され、人物の存在を検出する。
制御装置２は、対象人物検出センサ１からの情報を分析して人物の位置の特定、及び、その人物に伝達する音声情報を決定する。
増幅装置３は、制御装置２から伝送される制御指令に従って伝達情報を増幅する。
駆動装置４は、制御装置２からの制御指令に従いスピーカの方向を制御する。
スピーカ装置５は、増幅装置３から伝送される音声信号を放送する指向性の高いスピーカ装置である。
【００１１】
なお、本システムを設置する場所としては、会社、商業施設や公共の施設等であって、屋内に限らず屋外にも設置できる。
放送エリアとは、本システムのスピーカ装置５から出力される音声情報が届く範囲をいう。
また、より指向性の高いスピーカ装置５を用いることにより、より遠くの人物に音声情報を伝達できるのであれば、本発明の放送エリア自動選択放送システムの放送エリアを数十メートルないし数百メートルのオーダあるいはそれ以上に拡大することができる。
【００１２】
この発明の実施の形態１に係る放送エリア自動選択放送システムにおいて、放送により特定の情報を伝達したい人物が本システムの放送エリアに入ると、複数設置された対象人物検出センサ１（例えば超音波センサ、赤外線、レーザ等）のそれぞれまたはいずれかで、放送により特定の情報を伝達したい人物の位置を検出し、検出情報を制御装置２に伝送する。
ここで、対象人物検出センサ１は、例えば、超音波センサ、赤外線センサまたはレーザ光を用いたセンサ等で構成することができる。
【００１３】
制御装置２は、対象人物検出センサ１で検出される情報に基づいて情報伝達を行う対象人物の位置を特定し、その人物に伝達する音声情報を増幅装置３に伝送し、また、その人物の位置条件に応じたスピーカ装置５の駆動量を駆動装置４に伝送する。
増幅装置３は、スピーカ装置５に伝達する音声情報を表す音声信号を増幅して伝送する。
駆動装置４は、制御装置２から伝達された駆動量に基づき、情報を放送したい方向（すなわち、情報伝達を行う対象人物のいる方向）にスピーカ装置５の向きを変える。
スピーカ装置５は、増幅装置３から伝送される音声信号を放送する。スピーカ装置５から放送された情報は、対象人物に伝達される。
【００１４】
以上、この発明の実施の形態１に係る放送エリア自動選択放送システムによれば、情報伝達を行う対象人物の位置を特定し、スピーカ装置５を対象人物の方向に向けて特定の情報を放送するので、スピーカ装置や増幅装置等の放送システムの追加や移動を行わなくても、伝達したい情報を放送する場所の変化や増加に対応することができる。
【００１５】
なお、以上では、スピーカ装置５が１つの場合について説明したが、スピーカ装置５の数を増やせば、更に放送エリアを拡大することができる。その場合でも各スピーカ装置５の方向を駆動装置４によって駆動するので、従来の放送システムと同じ広さの放送エリアであっても、スピーカ装置５の数を大幅に少なくすることができる。
【００１６】
また、対象人物検出センサ１の検出情報に基づいて制御装置２が対象人物の位置を特定するだけでなく、放送エリア内に複数設置された対象人物検出センサ１の各々の位置とスピーカ装置５の位置との間の距離を予めデータとして制御装置２に保持させておき、スピーカ装置５から対象人物までの距離に応じて増幅装置３に伝達情報としての音声情報を増幅させるように構成してもよい。
また、対象人物検出センサ１の位置に応じて放送エリアを幾つかの小エリアに分割しておき、それぞれの小エリアで別々の情報を放送することもできる。これは、時間帯によって小エリアを切り替えてもよいし、同一時間帯内において、人物を検出した小エリアにその小エリア用に設定した情報を放送してもよい。
また、以上の説明では人物に音声情報を放送する携帯について説明したが、人以外の動物やその他の生物等に対して音情報を放送するように構成することも可能である。このような形態も特許請求の範囲に含まれるものとする。
【００１７】
実施の形態２．
この発明の実施の形態２に係る放送エリア自動選択放送システムの動作について図面を参照しながら説明する。
図２は、この発明の実施の形態２に係る放送エリア自動選択放送システムの構成を示す図である。
【００１８】
図２に示すように、この発明の実施の形態２に係る放送エリア自動選択放送システムの構成は基本的に実施の形態１に係る放送エリア自動選択放送システムの構成に準ずるが、制御装置２に時刻情報を提供する時刻情報提供手段である時計装置６を備える点で相違する。
【００１９】
制御装置２は、放送開始時刻及び放送終了時刻と音声情報の種類とを関連づけて記憶保持し、時刻情報に基づき、スピーカ装置５に音声情報を出力開始ないし出力終了させる。
また、制御装置２は、音量情報と音声情報を関連づけて記憶保持し、音量情報に基づき増幅装置３に音声情報を増幅させ、この増幅させた音声情報をスピーカ装置５に出力させる。
すなわち、制御装置２は、時計装置６から常時あるいは周期的に時刻情報信号を入手しており、予め設定された時刻に、音量情報に基づいて増幅装置３を駆動制御することにより、特定の音声情報を特定の音量でスピーカ装置５に出力（放送）させる。この放送は、予め設定された時刻になると終了する。
【００２０】
以上、この発明の実施の形態２に係る放送エリア自動選択放送システムによれば、設定した時刻及び場所において、自動的にスピーカ装置５を対象人物の方向に向けて特定の情報を放送するので、スピーカ装置や増幅装置等の放送システムの追加や移動を行わなくても、伝達したい情報を放送する場所の変化や増加に対応することができる。
【００２１】
実施の形態３．
この発明の実施の形態３に係る放送エリア自動選択放送システムの動作について図面を参照しながら説明する。
図３は、この発明の実施の形態３に係る放送エリア自動選択放送システムの構成を示す図である。
【００２２】
図３に示すように、この発明の実施の形態３に係る放送エリア自動選択放送システムの構成は基本的に実施の形態１に係る放送エリア自動選択放送システムの構成に準ずるが、放送エリア内の騒音レベルを検出し、制御装置２に騒音レベルを表す信号を伝送する周囲騒音検出装置７を備える点で相違する。
制御装置２は、周囲騒音検出装置７で検出された騒音レベルに応じて、増幅装置３における音声情報の増幅量を決定し、スピーカ装置５から放送する音声信号の音量を増大させる。
【００２３】
以上、この発明の実施の形態３に係る放送エリア自動選択放送システムによれば、情報伝達を行う対象人物の位置を特定し、スピーカ装置５を対象人物の方向に向け、さらに周囲の騒音のレベルに応じて音量を上げて特定の情報を放送するので、スピーカ装置や増幅装置等の放送システムの追加や移動を行わなくても、伝達したい情報を放送する場所の変化や増加に対応することができ、また、周囲の騒音の音量に合わせて適切な音量で情報を放送することができる。
【図面の簡単な説明】
【００２４】
【図１】この発明の実施の形態１に係る放送エリア自動選択放送システムの構成を示す図である。
【図２】この発明の実施の形態２に係る放送エリア自動選択放送システムの構成を示す図である。
【図３】この発明の実施の形態３に係る放送エリア自動選択放送システムの構成を示す図である。
【符号の説明】
【００２５】
１  対象人物検出センサ、２  制御装置、３  増幅装置、４  駆動装置、５  スピーカ装置、６  時計装置、７  周囲騒音検出装置。
【図１】
2007028398.tif 000003
【図２】
2007028398.tif 000004
【図３】
2007028398.tif 000005